(57)【要約】【課題】水分センサの検知結果によって、配管からの漏水であるのかスプリンクラが動作したのかを判定することができる漏出検知システムを提供する。【解決手段】漏水検知システム１は、水分センサ２Ａ（第１の水分センサ）と、水分センサ２Ａよりも配管９から離れた位置に配置されている水分センサ２Ｂ（第２の水分センサ）とを備え、水分センサ２Ａの検知結果と水分センサ２Ｂの検知結果とに基づいて、配管９からの漏水であるのかスプリンクラ１０が動作したのかを判定する。【選択図】図２
2019164053.tif 000002
【特許請求の範囲】
【請求項１】
スプリンクラが設置されている室内に配設されている配管からの漏水を検知する漏水検知システムであって、
室内の床面に配置されている水分を検知する第１の水分センサと、
前記第１の水分センサよりも前記配管から離れた位置に配置されている第２の水分センサと、
前記第１の水分センサの検知結果と前記第２の水分センサの検知結果とに基づいて、前記配管からの漏水であるのか前記スプリンクラが動作したのかを判定する判定部と、を備え、
前記判定部は、前記第１の水分センサよりも先に前記第２の水分センサによって水分が検知された場合に前記スプリンクラの動作であると判定することを特徴とする漏水検知システム。
【請求項２】
時間を計時するタイマを備え、
前記第２の水分センサは、前記配管に漏水が発生した際、前記第１の水分センサで水分が検知されてから所定の検知時間差（Ｔｓ）が経過した時点以降に水分を検知する位置関係で配置されており、
前記検知時間差（Ｔｓ）は、前記スプリンクラから散布された水が当該スプリンクラの真下の床面に到達するまでの到達時間（Ｔａ１）と最も離れた床面に到達するまでの到達時間（Ｔａ２）との差分である到達時間差（Ｔａ）と、水分センサに水分が付着してから水分の検知が出力されるまでに要する応答時間（Ｔｂ）との和を最小値とする時間が設定されるものであり、
前記判定部は、前記第１の水分センサで水分を検知してから前記検知時間差が経過する前に前記第２の水分センサによって水分が検知された場合に前記スプリンクラの動作であると判定し、前記第１の水分センサで水分を検知してから前記検知時間差が経過した以降に前記第２の水分センサによって水分が検知された場合に前記配管からの漏水であると判定することを特徴とする請求項１記載の漏水検知システム。
【請求項３】
前記第２の水分センサは、前記検知時間差（Ｔｓ）に対応する検知距離差（Ｌｓ）を生じさせるために設定される領域であって、前記第１の水分センサと配管との位置関係に基づいて定まる判定領域（Ｒｓ）に配置されており、
前記第１の水分センサから遠い側の前記配管の端部を第１位置（Ｐ１）とし、前記第１の水分センサから近い側の前記配管の端部を第２位置（Ｐ２）とし、前記第１の水分センサに最も近い前記配管の部位を第３位置（Ｐ３）とし、
前記第１位置（Ｐ１）から前記第１の水分センサまでの距離を第１距離（Ｌ１）とし、前記第２位置（Ｐ２）から前記第１の水分センサまでの距離を第２距離（Ｌ２）とし、前記第３位置（Ｐ３）から前記第１の水分センサまでの距離を第３距離（Ｌ３）とすると、
前記検知距離差（Ｌｓ）は、前記配管ら漏出した水が最も早く前記第１の水分センサに到達する距離である前記第３距離（Ｌ３）と、前記第１の水分センサに到達してから前記検知時間差（Ｔｓ）が経過した後に水が到達する距離（Ｌｗ）との差分を最小値とする距離が設定されており、
前記判定領域（Ｒｓ）は、室内の床面のうち、前記第１位置（Ｐ１）を中心として前記第１距離（Ｌ１）と前記検知距離差（Ｌｓ）との和を半径とする第１の非判定領域（Ｒ１）と、前記第２位置（Ｐ１）を中心として前記第２距離（Ｌ２）と前記検知距離差（Ｌｓ）との和を半径とする第２の非判定領域（Ｒ２）とを除外した領域として設定されていることを特徴とする請求項２記載の漏水検知システム。
【請求項４】
前記判定領域（Ｒｓ）は、前記第１の非判定領域（Ｒ１）と前記第２の非判定領域（Ｒ２）とを、室内側に所定のオフセット距離（Ｌｏ）分移動させた領域を除外した領域として設定されていることを特徴とする請求項３記載の漏水検知システム。
【請求項５】
前記配管を流れる水の量を検知する流量センサを備え、
前記判定部は、前記第１の水分センサ、前記第２の水分センサおよび前記流量センサの検知結果に基づいて、前記配管からの漏水の規模を判定することを特徴とする請求項１から４のいずれか一項記載の漏水検知システム。
【請求項６】
前記第１の水分センサとして機能する水分センサを、室内に複数配置したことを特徴とする請求項１から５のいずれか一項記載の漏水検知システム。
【発明の詳細な説明】
【技術分野】
【０００１】
本発明は、配管からの漏水を検知する漏水検知システムに関する。
【背景技術】
【０００２】
従来、家屋等に配設されている配管からの漏水を検知するために、漏水検知システムを設けることがある。このような漏水検知システムは、一般的に水分センサと配管を流れる流量を検知する流量センサとを用いることによって漏水を検知している（例えば、特許文献１参照）。
【先行技術文献】
【特許文献】
【０００３】
【特許文献１】特開２０１８−３６１０１号公報
【発明の概要】
【発明が解決しようとする課題】
【０００４】
さて、漏水による被害を最小限にするためには、漏水を検知した際には配管に設けられているバルブを閉鎖し、配管への水の供給を止める事が望ましい。
しかしながら、近年では、防災を目的として室内にスプリンクラを設置することがある。その場合、火災等によりスプリンクラが動作すると水分センサによって水分が検知されるものの、水分が検知されたからといってバルブを閉鎖してしまうと、火災等を抑制することができなくなるおそれがある。
【０００５】
また、スプリンクラは、火災報知器等から出力された信号に連動して散水を開始する電子制御式のものと、感熱部が作動することによって散水を開始する機械式のものとが広く採用されている。この場合、電子制御式のスプリンクラであれば、例えば火災報知器から信号を漏水検知システムで受信することによりスプリンクラが動作したことを直接的に判定することができると考えられる。その一方で、機械式のスプリンクラの場合、動作したことを示す信号等が出力されないため、スプリンクラが動作したのか否かを直接的に判定することができないという問題もある。
【０００６】
本発明は上記事情に鑑みてなされたものであり、その目的は、室内への漏水を検知することができるとともに、スプリンクラが動作したのか否かを直接的に判定することができない場合であっても、水分センサの検知結果によって配管からの漏水であるのかスプリンクラが動作したのかを判定することができる漏出検知システムを提供することにある。
【課題を解決するための手段】
【０００７】
請求項１記載の漏水検知システムは、室内の床面に配置されている水分を検知する第１の水分センサと、第１の水分センサよりも配管から離れた位置に配置されている第２の水分センサと、第１の水分センサの検知結果と第２の水分センサの検知結果とに基づいて、配管からの漏水であるのか前記スプリンクラが動作したのかを判定する判定部と、を備え、判定部は、第１の水分センサよりも先に第２の水分センサによって水分が検知された場合にスプリンクラの動作であると判定する。
【０００８】
配管から漏水した場合、水は床面を伝って徐々に広がると想定されるため、複数の水分センサを配置すれば、１つの水分センサで水分が検知されてからある程度時間が経過した後に別の水分センサで水分が検知されると考えられる。一方、スプリンクラが動作した場合には、床面の広い範囲に一斉に散水される。
【０００９】
そのため、配管に近い側の第１の水分センサよりも先に第２の水分センサによって水分が検知された場合、その水分は、配管からの漏水では無く、スプリンクラの動作であると考えることができる。したがって、室内への漏水を検知することができるとともに、スプリンクラが動作したのか否かを直接的に判定することができない場合であっても、水分センサの検知結果によって配管からの漏水であるのかスプリンクラが動作したのかを判定することができる。
【００１０】
請求項２記載の漏水検知システムは、時間を計時するタイマを備えており、第２の水分センサは、第１の水分センサよりも配管から離れた位置であって、配管に漏水が発生した際、第１の水分センサで水分が検知されてから所定の検知時間差（Ｔｓ）が経過した時点以降に水分を検知する位置関係で配置されている。そして、判定部は、第１の水分センサで水分を検知してから検知時間差が経過する前に第２の水分センサによって水分が検知された場合にスプリンクラの動作であると判定し、第１の水分センサで水分を検知してから検知時間差が経過した以降に第２の水分センサによって水分が検知された場合に配管からの漏水であると判定する。
【００１１】
上記したように、いずれの水分センサで先に水分を検知したかに基づけば、基本的には配管からの漏水であるのかスプリンクラが動作したのかを判定することが可能になると考えられる。ただし、スプリンクラのほぼ真下に位置する水分センサと、室内の隅に配置されている水分センサとでは、スプリンクラが動作した場合であっても水分が到達するまでに若干の時間差が生じると考えられる。そして、水分センサ自体についても、水分が付着してから水分を検知したことを出力するまでに、いわゆる応答時間が存在すると考えられる。
【００１２】
そのため、検知時間差（Ｔｓ）として、スプリンクラから散布された水が当該スプリンクラの真下の床面に到達するまでの到達時間（Ｔａ１）と最も離れた床面に到達するまでの到達時間（Ｔａ２）との差分である到達時間差（Ｔａ）と、水分センサに水分が付着してから水分の検知が出力されるまでに要する応答時間（Ｔｂ）との和を最小値とする時間を設定する。
【００１３】
そして、第１の水分センサで水分が検知されてから経過した時間をタイマで計時し、第１の水分センサで水分が検知されてから検知時間差（Ｔｓ）が経過する前に第２の水分センサで水分が検知されていれば、スプリンクラが動作したと考えることができる。なお、配置によっては第２の水分センサで先に水分が検知されていることも想定されるが、その場合であっても、検知時間差（Ｔｓ）が経過する前に第２の水分センサで水分が検知されていることになるため、スプリンクラが動作したと判定することができる。
【００１４】
そして、判定部は、第１の水分センサで水分を検知してから検知時間差が経過する前に第２の水分センサによって水分が検知された場合にスプリンクラの動作であると判定し、第１の水分センサで水分を検知してから検知時間差が経過した後に第２の水分センサによって水分が検知された場合に配管からの漏水であると判定する。
【００１５】
これにより、配管からの漏水と、大量の水を一定時間継続して散水するため単位時間当たりの流量が多いことから配管からの漏水と区別することが困難なスプリンクラの動作とを判定することができる。また、水分センサの検知結果により判定することができるため、スプリンクラから動作を示す信号を出力する必要もない。
【００１６】
したがって、室内への漏水を検知することができるとともに、スプリンクラが動作したのか否かを直接的に判定することができない場合であっても、配管からの漏水であるのかスプリンクラが動作したのかを判定することができる。
【００１７】
請求項３記載の漏水検知システムは、第２の水分センサを、検知時間差（Ｔｓ）に対応する検知距離差（Ｌｓ）を生じさせるために設定される領域であって、第１の水分センサと配管との位置関係に基づいて定まる判定領域（Ｒｓ）に配置する。このとき、検知距離差（Ｌｓ）は、配管ら漏出した水が最も早く第１の水分センサに到達する距離である第３距離（Ｌ３）と、第１の水分センサに到達してから検知時間差（Ｔｓ）が経過した後に水が到達する距離（Ｌｗ）との差分を最小値とする距離が設定される。
【００１８】
そして、判定領域（Ｒｓ）は、室内の床面のうち、第１位置（Ｐ１）を中心として第１距離（Ｌ１）と検知距離差（Ｌｓ）との和を半径とする第１の非判定領域（Ｒ１）と、第２位置（Ｐ１）を中心として第２距離（Ｌ２）と検知距離差（Ｌｓ）との和を半径とする第２の非判定領域（Ｒ２）とを除外した領域として設定される。
【００１９】
このように、配管からの漏水であるのかスプリンクラが動作したのかを判定することができない領域を除外し、その除外した領域に第２の水分センサを配置することにより、配管のどの位置で漏水が発生したとしても、正しく配管からの漏水であるのかスプリンクラが動作したのかを判定することができる。
【００２０】
請求項４記載の漏水検知システムは、判定領域（Ｒｓ）を、第１の非判定領域（Ｒ１）と第２の非判定領域（Ｒ２）とを室内側に所定のオフセット距離（Ｌｏ）分移動させた領域を除外した領域として設定されている。これにより、配管から水が勢いよく吹き出して、床面に到達する位置が配管から離間した位置になり、配管側に配置した水分センサで水分が検知されないといったことを抑制できる。
【００２１】
請求項５記載の漏水検知システムは、配管を流れる水の量を検知する流量センサを備え、第１の水分センサ、第２の水分センサおよび流量センサの検知結果に基づいて、配管からの漏水の規模を判定する。これにより、テープ等で応急措置を施せる程度の漏水か、業者に頼まなければ行けないような破損なのかを判断する材料を提供することができる。
【００２２】
請求項６記載の漏水検知システムは、第１の水分センサとして機能する水分センサを、室内に複数配置している。この場合、第２の水分センサを、１つの第１の水分センサの位置によって定まる非判定領域と、他の第１の水分センサの位置によって定まる非判定領域とを除外した判定領域に配置し、１つの第１の水分センサと第２の水分センサとのペアで漏水を検知し、他の第１の水分センサと第２の水分センサとのペアで漏水を検知することができ、複数の判断材料に基づいて配管からの漏水であるのかスプリンクラが動作したのかをより正しく判定することができる。
【００２３】
この場合、１つの第１の水分センサを配管の一方の端部側に配置し、他の水分センサを配管の他方の端部側に配置したり、さらに他の水分センサを配管の中央側に配置したりすることにより、迅速に漏水を検知することができる。
【図面の簡単な説明】
【００２４】
【図１】実施形態による漏水検知システムの電気的構成を模式的に示す図
【図２】水分センサの配置態様を室内の平面視にて模式的に示す図
【図３】スプリンクラの設置態様を室内の正面視にて模式的に示す図
【図４】漏水が発生した際に水が床面に広がる態様を模式的に示す図
【図５】配管の近傍と遠方とにおける水が広がる速さの違いを模式的に示す図
【図６】漏水検知システムによる漏水検知処理の流れを示す図
【図７】水分センサの他の配置態様を平面視にて模式的に示す図その１
【図８】水分センサの他の配置態様を平面視にて模式的に示す図その２
【発明を実施するための形態】
【００２５】
以下、実施形態について、図面を参照しながら説明する。
図１に示すように、本実施形態の漏水検知システム１は、複数例えば２つの水分センサ２Ａおよび水分センサ２Ｂ、タイマ３、判定部４、出力部５等を有する制御装置６を備えている。この制御装置６は、流量センサ７およびバルブ８に接続されている。
【００２６】
流量センサ７は、図２に示すように、室内に配設されている配管９を流れる水の流量を検知する。この場合、流量センサ７は、制御装置６に直接的に接続する構成とすることもできるが、例えば水道メータやＨＥＭＳ（Home Energy Management System）コントローラ等を介して間接的に接続する構成、つまりは、他の装置を介して流量のデータを受信する構成とすることもできる。なお、流量センサ７自体は周知の構成のものを適宜採用すればよい。
【００２７】
水分センサ２Ａおよび水分センサ２Ｂは、周知のように、水分が付着した際、電気的、化学的あるいは物理的な反応に基づいて水分を検知する。これらの水分センサ２Ａおよび水分センサ２Ｂは、室内の床面に配置されている。また、この室内には、床面あるいは床に近い位置に、例えば一方の壁に沿うようにして配管９が配設されている。
【００２８】
また、室内には、天井の中央付近にスプリンクラ１０（図３参照）が設置されている。このスプリンクラ１０は、配管９と同系統で水が供給される。そのため、流量センサ７は、配管９だけでなく、スプリンクラ１０が動作した際に流れる水の量も検知する。また、スプリンクラ１０は、火災と判定する温度に達すると図示しない感熱部が作動する機械式のものであり、閉鎖型スプリンクラヘッドとも称されるものである。
【００２９】
そのため、スプリンクラ１０が動作して散水が開始されたとしても、動作したことを示す信号等は出力されない。換言すると、漏水検知システム１は、直接的にはスプリンクラ１０が動作したことを検知できない構成となっている。
【００３０】
さて、水分センサ２は、所定の位置関係となるように配置されている。詳細は後述するが、本実施形態の場合、水分センサ２Ａは配管９に近い位置に配置されており、水分センサ２Ｂは、水分センサ２Ａの位置によって定まる非判定領域（Ｒ１、Ｒ２）よりも外側、つまり、水分センサ２Ａよりも配管９から遠い側に設置されている。本実施形態では、水分センサ２Ａが第１の水分センサに相当し、水分センサ２Ｂが第２の水分センサに相当する。
【００３１】
制御装置６は、図示しないマイクロコンピュータを備えており、プログラムを実行することにより漏水検知システム１を制御する。この制御装置６は、専用のものを用いる構成とすることもできるが、ＨＥＭＳコントローラ等と兼用する構成とすることもできる。
【００３２】
タイマ３は、ある時点から経過した経過時間を取得する。本実施形態では、タイマ３は、後述するように２つの経過時間を計時可能となっている。この場合、タイマ３としていわゆるリアルタイムクロックのような時刻を取得するものを採用し、時刻に基づいて経過時間を取得する構成とすることもできる。
【００３３】
判定部４は、詳細は後述するが、配管９からの漏水の有無、漏水の規模、および、配管９からの漏水であるのかスプリンクラ１０が動作したのかを判定する。本実施形態では、判定部４は、マイクロコンピュータで実行されるコンピュータプログラムによってソフトウェアで実現されている。
【００３４】
出力部５は、詳細は後述するが、配管９に設けられているバルブ８に対して、バルブ８を閉鎖するための制御信号である閉鎖信号を出力する。この場合、制御装置６からバルブ８に対して直接的に閉鎖信号を出力する構成とすることもできるが、外部の装置を介して間接的に閉鎖信号を出力する構成とすることもできる。つまり、閉鎖信号は、バルブ８を直接的に制御するための信号であってもよいし、バルブ８を閉鎖する指示を与えるための信号であってもよい。
【００３５】
次に、上記した構成の作用について説明する。
前述のように、配管９からの漏水による被害を最小限にするためには、漏水を検知した際には配管９に設けられているバルブ８を閉鎖し、配管９への水の供給を止める事が望ましい。その一方で、火災等によりスプリンクラ１０が動作すると水分センサ２によって水分が検知されるものの、水分が検知されたからといってバルブ８を閉鎖してしまうと火災等を抑制することができなくなるおそれがある。
【００３６】
また、漏水も、配管９の継ぎ目等から少量の水が漏出する小規模水漏れや、配管９の一部が破損して大量の水が漏出する大規模水漏れが発生し得る。このうち、小規模水漏れは、時間当たりの流量は少ないと考えられるため、スプリンクラ１０の動作ではないことを判定できると考えられる。
【００３７】
一方、大規模水漏れは、単位時間当たりの流量が多いと想定され、流量に基づいてスプリンクラ１０の動作と区別することは困難である。また、スプリンクラ１０の動作も、大量の水を一定時間継続して散水するため、単位時間当たりの流量が多く、流量に基づいて大規模水漏れと区別することは困難である。
【００３８】
そこで、漏水検知システム１では、以下のようにして水分センサ２で検知された水分の原因を判定している。漏水検知システム１は、詳細は以下に述べるが、水分センサ２Ａと水分センサ２Ｂとにおいて水分を検知した際の検知時間差（Ｔｓ）に主として基づくことにより、配管９からの漏水であるのかスプリンクラ１０が動作したのかを判定している。この場合、配管９からの漏水でない場合にはスプリンクラ１０の動作であることを判定する必要があり、逆に、配管９からの漏水である場合にはスプリンクラ１０の動作ではないことを判定する必要がある。
【００３９】
そのため、スプリンクラ１０の動作をどのように判定するかについてまず説明する。図３に示すように、室内の天井にスプリンクラ１０が設置されているとする。このスプリンクラ１０は、周知のように、火災等により温度が上昇すると室内に散水する。このとき、基本的には室内に満遍なく散水されると想定されるため、室内に設けられている水分センサ２Ｃおよび水分センサ２Ｄには、それぞれ水が降りかかることになる。
【００４０】
ただし、スプリンクラ１０が動作した場合、例えばスプリンクラ１０の真下付近に配置されている水分センサ２Ｃに水が到達するまでの到達時間（Ｔａ１）と、部屋の隅つまりはスプリンクラ１０から最も離れた位置に配置されている水分センサ２に水が到達するまでの到達時間（Ｔａ２）とでは、若干の差があると考えられる。
【００４１】
そのため、水分センサ２Ｃと水分センサ２Ｄとの到達時間の差分を到達時間差（Ｔａ）とすると、その到達時間差（Ｔａ）が経過した時点で水分センサ２Ｃと水分センサ２Ｄとがともに水分を検知した場合には、スプリンクラ１０が動作した可能性があると考えることができる。
【００４２】
ただし、水分センサ２は、水分が付着した時点（Ｔｂ１）から水分を検知したことを実際に出力する時点（Ｔｂ２）までの間にいわゆる応答時間（Ｔｂ）が存在することから、到達時間差（Ｔａ）と応答時間（Ｔｂ）との和である検知時間差（Ｔｓ）を用いて、検知時間差（Ｔｓ）が経過した時点において水分センサ２Ｃと水分センサ２Ｄとで水分が検知されれば、スプリンクラ１０の動作である可能性をより精度良く判定することが可能になると考えられる。
【００４３】
その一方で、スプリンクラ１０の動作であると最終的に判定するためには、上記したように配管９からの漏水でないことを確認する必要がある。漏水が発生した場合には水が床面を広がっていくことから、複数の水分センサ２を互いに離間した状態で配置すれば、漏水した水が各水分センサ２まで到達する時間に時間差を生じさせることができると考えられる。
【００４４】
しかし、現実的には、配管９からの漏水が実際にどこで発生するかを予測することはできないため、単純に水分センサ２Ｄと水分センサ２Ｃとの距離を大きくしたり、水分センサ２の数を単に増やしたりするだけでは、必要な検知時間差（Ｔｓ）を確保できなくなるおそれがある。
【００４５】
そこで、漏水検知システム１は、配管９のどの位置で漏水が発生したとしても必要な検知時間差（Ｔｓ）を確保できるように、水分センサ２Ａと水分センサ２Ｂとを、検知時間差（Ｔｓ）に対応した検知距離差（Ｌｓ）となる位置関係で配置している。この検知距離差（Ｌｓ）は、単純に言えば、漏水位置（Ｐｗ）から水分センサ２Ａまでの距離と、水分センサ２Ａで水が検知されてから検知時間差（Ｔｓ）が経過した後に水が到達する到達距離との差分を最小値として設定される距離である。
【００４６】
ただし、上記したように漏水位置（Ｐｗ）が実際にどこになるかは予測できないことから、検知距離差（Ｌｓ）は、配管９から漏出した水がどのように床面に広がるのかを考慮して、想定される漏水の状況に基づいて設定されている。
【００４７】
具体的には、図１に示すように、水分センサ２Ａから遠い側の配管９の端部を第１位置（Ｐ１）とし、水分センサ２Ａから近い側の配管９の端部を第２位置（Ｐ２）とし、水分センサ２Ａに最も近い配管９の部位を第３位置（Ｐ３）とする。ただし、第３位置（Ｐ３）は、水分センサ２Ａの位置によって定まるため、例えば第１位置（Ｐ１）や第２位置（Ｐ２）と重なることもある。
【００４８】
また、第１位置（Ｐ１）から水分センサ２Ａまでの距離を第１距離（Ｌ１）とし、第２位置（Ｐ２）から水分センサ２Ａまでの距離を第２距離（Ｌ２）とし、第３位置（Ｐ３）から水分センサ２Ａまでの距離を第３距離（Ｌ３）とする。そして、本実施形態では、配管９から漏水した水が一定の厚みで床面に均等に広がると想定する。これは、障害物や流れを阻害する要因がない平坦な床面が、最も早く水が広がると考えられるためである。
【００４９】
さて、漏水が発生すると、配管９から漏出した水は、図４に示すように、例えば配管９の中央付近が漏水位置（Ｐｗ）となった場合には半円状に広がると考えられる。一方、例えば第２位置（Ｐ２）のような配管９の端部付近が漏水位置（Ｐｗ）となった場合には、配管９から漏出した水は、壁に遮られて扇形状に広がると考えられる。
【００５０】
この場合、漏水が発生してからの経過時間が同じであったとしても、中央付近で漏水が発生した際に水が到達した範囲（Ｒｗ１）の配管９からの到達距離（Ｌｗ１）よりも、端部付近で漏水が発生した際に水が到達する範囲（Ｒｗ２）の配管９からの到達距離（Ｌｗ２）のほうが長くなる。
【００５１】
そして、水が扇形状に広がる際の中心角は端部に近いほど小さくなるため、端部側ほど水の広がりが早く、中央側ほど徐々に水の広がりが遅くなると考えられる。つまり、漏水検知システム１において想定すべき状況としては、漏水が発生した際に水が広がる速さは、配管９の端部で漏水が発生したときが最大になるという点が挙げられる。
【００５２】
ところで、同じ検知時間差（Ｔｓ）であっても、配管９からの距離によって必要な検知距離差（Ｌｓ）は変化する。具体的には、図５に示すように、配管９の近傍において、ある時点で配管９からの距離（Ｌｗ１０）となる位置（Ｐ１０）まで水が到達した後、ある時間差（ΔＴ）後に、距離（Ｌｗ１１）となる位置（Ｐ１１）まで到達したとする。この場合、ハッチングにて示す距離差（ΔＬｗ１０＝Ｌｗ１１−Ｌｗ１０）となる範囲（Ｒｗ１０）は、時間差（ΔＴ）の間に水が広がった範囲を示している。
【００５３】
一方、配管９の遠方において、ある時点で配管９からの距離（Ｌｗ２０）となる位置（Ｐ２０）まで水が到達した後、同じ時間差（ΔＴ）後に、距離（Ｌｗ２１）となる位置（Ｐ２１）まで到達したとする。ハッチングにて示す距離差（ΔＬｗ２０＝Ｌｗ２１−Ｌｗ２０）となる範囲（Ｒｗ２０）は、時間差（ΔＴ）の間に水が広がった範囲を示している。そして、範囲（Ｒｗ２０）と範囲（Ｒｗ１０）とは、同じ体積の水が広がった結果である。
【００５４】
この場合、距離（Ｌ１０）＜距離（Ｌ２０）であれば、単純には円の面積の計算で求まるように、距離差（ΔＬｗ１０）＜距離差（ΔＬｗ２０）となる。より平易に言えば、配管９からの距離が遠くなるほど同じ時間差（ΔＴ）であっても水が到達する距離は短くなる。つまり、漏水検知システム１において想定すべき状況としては、配管９からの距離が近い程、必要な検知距離差（Ｌｓ）を大きくなるという点が挙げられる。
【００５５】
これらの点を考慮すると、水分センサ２Ａに最も近い部位が漏出位置（Ｐｗ）となった状態であって水が最も早く広がった状態において必要な検知時間差（Ｔｓ）を確保できれば、配管９のどの部位が漏出位置（Ｐｗ）となったとしても対応できることが分かる。
そして、図１に示すように、水分センサ２Ａに最も近い部位は第３位置（Ｐ３）である。
【００５６】
また、水が最も早く広がるのは、配管９の端部から扇形状に水が広がる場合である。このとき、配管９からの漏水量をＭ（立方メートル毎秒）、水が広がる際の厚みをＨ（ｍｍ）とすると、Ｌ（ｍ）先の位置まで到達するのに必要な水の体積（Ｖ）は、以下の（１）式で求まる。この場合、漏水量としては、例えば配管９の直径等から求めた最大流量を用いることができる。
【００５７】
Ｖ＝（π×Ｌ＾２×Ｈ）／（４×１０００）    ・・・（１）
【００５８】
このとき、Ｌ（ｍ）先の位置まで到達するのに要する時間（Ｔ）は、体積（Ｖ）を漏水量（Ｍ）で除算することにより、以下の（２）式のように求まる。
【００５９】
Ｔ＝（π×Ｌ＾２×Ｈ）／（４０００×Ｍ）    ・・・（２）
【００６０】
この（２）式に、配管９から水分センサ２Ａまでの距離（Ｌ１）、配管９から水分センサ２Ｂまでの距離（Ｌ２）を代入すると、水が水分センサ２Ａに到達してから水分センサ２Ｂに到達するまでの時間差（ΔＴ）は、以下の（３）式のように求まる。
【００６１】
ΔＴ＝（π×Ｌ２＾２×Ｈ）／（４０００×Ｍ）
−（π×Ｌ１＾２×Ｈ）／（４０００×Ｍ）
＝πｈ（Ｌ２＾２−Ｌ１＾２）／（４０００×Ｍ）    ・・・（３）
【００６２】
そして、この時間差（ΔＴ）が検知時間差（Ｔｓ）よりも大きければ、必要な検知時間差（Ｔｓ）を確保できることになる。
【００６３】
このとき、配管９から水分センサ２Ｂまでの距離（Ｌ２）は、配管９から水分センサ２Ａまでの距離（Ｌ１）に検知距離差（Ｌｓ）を加算したものが必要最低限の値であることから、上記の（３）式に代入することにより、以下の（４）式のように、水分センサ２Ａまでの距離（Ｌ１）に基づいて、必要となる検知距離差（Ｌｓ）の条件を求めることができる。
【００６４】
πｈ（（Ｌ１＋Ｌｓ）＾２−Ｌ１＾２）／（４０００×Ｍ）＞Ｔｓ  ・・・（４）
【００６５】
そして、この（４）式を満たす範囲で、スプリンクラ１０の動作であるか漏水であるかを判定可能にするために必要な検知時間差（Ｔｓ）に対応する検知距離差（Ｌｓ）、すなわち、検知時間差（Ｔｓ）を確保できる検知距離差（Ｌｓ）が設定される。この場合、検知距離差（Ｌｓ）は、（４）式を満たす値のうちできるだけ小さい値を設定することにより漏水を早期に検知することができる。ただし、必ずしも最小の値に限らず、多少大きめの値を設定することにより、誤検知のおそれを低減することができる。
【００６６】
さて、検知距離差（Ｌｓ）が設定可能になれば、配管９と水分センサ２Ａとの位置関係に基づいて、スプリンクラ１０の動作であるか漏水であるかを判定可能にする水分センサ２Ｂの位置、より厳密に言えば、水分センサ２Ｂを配置可能な領域である判定領域（Ｒｓ。図１参照）を決定することができる。
【００６７】
具体的には、まず、検知距離差（Ｌｓ）が（４）式を満たさない場合には検知時間差（Ｔｓ）を確保することができなくなることから、漏水位置（Ｐｗ）から第１距離（Ｌ１）＋検知距離差（Ｌｓ）よりも小さい領域は、スプリンクラ１０の動作であるか漏水であるかを判定することは不可能である。以下、この判定が不可能な領域を、非判定領域と称する。
【００６８】
そして、漏水位置（Ｐｗ）がどこになるか予測できないものの、配管９の位置は変わることがないため、例えば図１に示すように水分センサ２Ａをある位置に配置した場合には、最も遠方となる漏水位置（Ｐｗ）は、第１位置（Ｐ１）である。この場合、第１位置（Ｐ１）を中心として第１距離（Ｌ１）と検知距離差（Ｌｓ）との和を半径とする領域が、第１位置（Ｐ１）で漏水が発生した場合に判定が不可能になる第１の非判定領域（Ｒ１）となる。
【００６９】
また、第２位置（Ｐ２）を中心として第１距離（Ｌ２）と検知距離差（Ｌｓ）との和を半径とする領域が、第２位置（Ｐ１）で漏水が発生した場合に判定が不可能になる第２の非判定領域（Ｒ２）となる。また、図示は省略するが、第１位置（Ｐ１）から第３位置（Ｐ３）の間で漏水が発生した場合に判定が不可能になる非判定領域は第１の非判定領域（Ｒ１）に含まれ、第３位置（Ｐ３）から第２位置（Ｐ２）の間で漏水が発生した場合に判定が不可能になる非判定領域は第２の非判定領域（Ｒ２）に含まれることになる。
【００７０】
つまり、室内の床面のうち、第１の非判定領域（Ｒ１）と第２の非判定領域（Ｒ２）の何れかに含まれる領域は、スプリンクラ１０の動作であるか漏水であるかの判定が不可能である一方、第１の非判定領域（Ｒ１）と第２の非判定領域（Ｒ２）の何れにも含まれない領域は、スプリンクラ１０の動作であるか漏水であるかの判定が可能になる。
【００７１】
そのため、本実施形態では、室内の床面のうち、第１の非判定領域（Ｒ１）と第２の非判定領域（Ｒ２）とを除外した領域を、判定領域（Ｒｓ）として設定している。これにより、水分センサ２Ｂを判定領域（Ｒｓ）に配置すれば、配管９のどの部位が漏水位置（Ｐｗ）となったとしても、検知時間差（Ｔｓ）を確保することができ、スプリンクラ１０の動作であるか漏水であるかを判定することができる。
【００７２】
このように、水分センサ２Ｂは、水分センサ２Ａよりも配管９から離れた位置であって、水分センサ２Ａで水分が検知されてから所定の検知時間差（Ｔｓ）が経過した時点以降に水分を検知する位置関係となるように配置されている。
【００７３】
そして、漏水検知システム１は、水分センサ２Ａの検知結果と水分センサ２Ｂの検知結果に基づいて、配管９からの漏水であるのかスプリンクラ１０が動作したのかを判定する。また、本実施形態では、漏水検知システム１は、水分センサ２Ａ、水分センサ２Ｂおよび流量センサ７の検知結果に基づいて、配管９からの漏水の規模を判定する。なお、この判定は判定部４によって行われるものの、説明の簡略化のために、以下では漏水検知システム１を主体としている。
【００７４】
漏水検知システム１は、図６に示す漏水検知処理を開始すると、水分センサ２Ａが水分を検知したか否かを判定し（Ｓ１）、水分を検知していなければ（Ｓ１：ＮＯ）待機する一方、水分を検知すると（Ｓ１：ＹＥＳ）、第１タイマを作動させる（Ｓ２）。この第１タイマは、上記した検知時間差（Ｔｓ）を計時するものである。
【００７５】
第１タイマを作動させると、漏水検知システム１は、流量センサ７から取得した配管９を流れる水の流量が基準より少ないか否かを判定する（Ｓ３）。この基準は、上記した小規模水漏れであるのか、大規模水漏れまたはスプリンクラ１０の動作であるのかを判定するために設定されており、配管９から水がぽたぽたと滴下する際の流量を目安にして設定されている。
【００７６】
漏水検知システム１は、流量が基準よりも少ない場合には（Ｓ３：ＹＥＳ）、小規模水漏れと判定して（Ｓ４）、次工程に進む。この次工程では、漏水の規模の報知やバルブ８の閉鎖信号の出力等が行われる。なお、水分センサ２Ａで水分を検知した時点で漏水の報知を行う構成とすることもできる。
【００７７】
一方、漏水検知システム１は、流量が基準よりも多い場合には（Ｓ３：ＮＯ）、第２タイマを作動させた後（Ｓ５）、水分センサ２Ｂが水分を検知したか否かを判定する（Ｓ６）。この第２タイマは、ステップＳ６の処理の待機時間を計時するものである。これは、床面にキャビネットが設置されていたり絨毯等が敷き詰めてあったりすると、水が遮られたり流れが阻害されたりして水分センサ２Ｂまで到達しない、あるいは、水分センサ２Ｂに到達するまでに過度に時間を要するおそれがあるためである。
【００７８】
漏水検知システム１は、水分センサ２Ｂが水分を検知していないと判定すると（Ｓ６：ＮＯ）、第２タイマが待機時間を超えたかを判定し（Ｓ７）、第２タイマが待機時間を超えていなければ（Ｓ７：ＮＯ）ステップＳ６に移行する。一方、漏水検知システム１は、水分センサ２Ｂが水分を検知しないまま第２タイマが待機時間を超えた場合には（Ｓ６：ＮＯ、Ｓ７：ＹＥＳ）、ステップＳ１０に移行して大規模水漏れと判定する（Ｓ１０）。
【００７９】
これは、流量が多い状態で水分センサ２Ａが水分を検知しているにもかかわらず、ある程度の時間が経過しても水分センサ２Ｂで水分を検知されないのは、上記したように何らかの障害により水分の流れが阻害されていると考えられるためである。
【００８０】
これに対して、漏水検知システム１は、待機時間が経過する前に水分センサ２Ｂで水分を検知した場合には（Ｓ６：ＹＥＳ）、第１タイマが検知時間差（Ｔｓ）を超えているか否かを判定し（Ｓ８）、第１タイマが検知時間差（Ｔｓ）を超えていれば（Ｓ８：ＹＥＳ）、大規模水漏れと判定し（Ｓ１０）、小規模水漏れのときと同様に次工程に移行する。
【００８１】
一方、漏水検知システム１は、水分センサ２Ｂで水分を検知したときに第１タイマが検知時間差（Ｔｓ）を超えていない場合には（Ｓ８：ＮＯ）、検知時間差（Ｔｓ）以下のごく僅かな時間差で広範囲に水分が検知されたことから、スプリンクラ１０の動作と判定して（Ｓ９）、小規模水漏れのときと同様に次工程に移行する。
【００８２】
この場合、図１に例示する配置ではスプリンクラ１０が動作したときには、水分センサＢが水分センサＡよりもスプリンクラ１０に近い位置に配置されていれば先に水分センサ２Ｂで水分が検知されると考えられるものの、その場合であっても第１タイマが検知時間差（Ｔｓ）を超えていない状態で水分センサ２Ｂにて水分が検知されたことになるため、スプリンクラ１０の動作と判定される。逆に、水分センサＢが水分センサＡよりもスプリンクラから遠い位置に配置されている場合には、検知時間差（Ｔｓ）以下のごく僅かな時間差で水分センサＢによって水分が検知されることから、スプリンクラ１０の動作であると判定することができる。なお、小規模水漏れ、大規模水漏れ、スプリンクラ１０の動作の判定結果に応じて、次工程で行う処理を変更する構成とすることもできる。
【００８３】
このように、漏水検知システム１は、水分センサ２Ａの検知結果と水分センサ２Ｂの検知結果とに基づいて、特には、各センサで水分を検知した際の時間差に基づいて、配管９からの漏水であるのかスプリンクラ１０が動作したのかを判定している。
【００８４】
以上説明した漏水検知システム１によれば、次のような効果を得ることができる。
漏水検知システム１は、第１の水分センサとしての水分センサ２Ａと、水分センサ２Ａよりも配管９から離れた位置に配置されている第２の水分センサとしての水分センサ２Ｂとを備え、水分センサ２Ａの検知結果と水分センサ２Ｂの検知結果とに基づいて、配管９からの漏水であるのかスプリンクラ１０が動作したのかを判定する。
【００８５】
このとき、漏水検知システム１は、配管に近い側の水分センサＡのほうが先に水分を検知すれば配管９からの漏水であると判定し、配管に遠い側の水分センサＢのほうが先に水分を検知すればスプリンクラの動作であると判定する。これにより、室内への漏水を検知することができるとともに、スプリンクラ１０が動作したのか否かを直接的に判定することができない場合であっても、水分センサ２の検知結果によって配管９からの漏水であるのかスプリンクラ１０が動作したのかを判定することができる。
【００８６】
漏水検知システム１では、検知時間差（Ｔｓ）は、スプリンクラ１０から散布された水が当該スプリンクラ１０の真下の床面に到達するまでの到達時間（Ｔａ１）と最も離れた床面に到達するまでの到達時間（Ｔａ２）との差分である到達時間差（Ｔａ）と、水分センサ２に水分が付着してから水分の検知が出力されるまでに要する応答時間（Ｔｂ）との和を最小値とする時間が設定される。
【００８７】
これにより、配管９からの漏水と、大量の水を一定時間継続して散水するため単位時間当たりの流量が多いため配管９からの漏水と区別することが困難であるスプリンクラ１０の動作とを判定することができる。したがって、室内への漏水を検知することができるとともに、スプリンクラ１０が動作したのか否かを直接的に判定することができない場合であっても、水分センサ２の検知結果によって配管９からの漏水であるのかスプリンクラ１０が動作したのかを判定することができる。
【００８８】
また、漏水検知システム１は、水分センサ２Ｂを検知時間差（Ｔｓ）に対応する検知距離差（Ｌｓ）を生じさせるために設定される判定領域（Ｒｓ）に配置しており、その判定領域（Ｒｓ）は、室内の床面のうち、水分センサ２Ａの位置に基づいて設定され、配管９からの漏水であるのかスプリンクラ１０が動作したのかを判定できない第１の非判定領域（Ｒ１）と第２の非判定領域（Ｒ２）とを除外した領域として設定されている。
【００８９】
このように、配管９からの漏水であるのかスプリンクラ１０が動作したのかを判定することができない領域を除外し、その除外した領域に第２の水分センサを配置することにより、配管９のどの位置で漏水が発生したとしても、正しく配管９からの漏水であるのかスプリンクラ１０が動作したのかを判定することができる。
【００９０】
また、漏水検知システム１は、配管９を流れる水の量を検知する流量センサ７を備え、水分センサ２Ａ、水分センサ２Ｂおよび流量センサ７の検知結果に基づいて、配管９からの漏水の規模を判定する。これにより、テープ等で応急措置を施せる程度の漏水か、業者に頼まなければ行けないような破損なのかを判断する材料を提供することができる。
また、漏水検知システム１は、上記した実施例で示したものに限定されず、その要旨を逸脱しない範囲で、例えば以下のように拡張や変形することができる。
【００９１】
実施形態ではステップＳ３において流量に基づいた判定をし、その後に配管９からの漏水であるのかスプリンクラ１０が動作したのかを判定する処理の流れを示したが、ステップＳ２にて第１タイマを作動させた後、ステップＳ３を省略してステップＳ５に移行して、流量の判定をすることなく配管９からの漏水であるのかスプリンクラ１０が動作したのかを判定することができる。
【００９２】
また、実施形態では水分センサ２Ａで水分を検知したことをステップＳ１としたが、ステップＳ１の前にいずれかの水分センサ２で水分が検知されたことを以て漏水と判定する処理を挿入し、その後、漏水の規模と配管９からの漏水であるのかスプリンクラ１０が動作したのかを判定する処理を実行することもできる。
【００９３】
また、ステップＳ１において水分を検知していない時点における流量を時系列で記憶しておき、水分を検知した時点以前の流量の変化に基づいて漏水量の大小を判定する構成とすることもできる。これにより、家屋へ水を導入する入口に１つの流量センサ７が設けられており、検知対象となる部屋以外において水が使われた際にも流量センサ７によって検知しているような場合であっても、漏水の規模をより正確に判定することができる。
【００９４】
実施形態では配管９の部位を基準にして非判定領域（Ｒ１、Ｒ２）を設定したが、非判定領域は、例えば図７に示すように、配管９から所定のオフセット距離（Ｌｏ）だけ離間した仮想的な第１位置（Ｐ１１）と仮想的な第２位置（Ｐ１２）とを基準として設定することができる。換言すると、判定領域（Ｒｓ１）は、第１の非判定領域（Ｒ１１）と第２の非判定領域（Ｒ１２）とを室内側に所定のオフセット距離（Ｌｏ）分移動させた領域を除外した領域として設定することができる。
【００９５】
この場合も、実施形態と同様に、仮想的な第１位置（Ｐ１１）と仮想的な第２位置（Ｐ１２）との距離Ｌ１１、Ｌ１２）に基づいて、第１の非判定領域（Ｒ１１）と第２の非判定領域（Ｒ１２）とを設定すればよい。これにより、配管９に穴が空いて水が勢いよく漏出し、配管９の近傍に配置した水分センサ２では水分が検知されないといったことを抑制できる。この場合、オフセット距離（Ｌｏ）としては、数ミリ程度の穴が空いたときに水分が飛散する距離等を想定して設定することができる。
【００９６】
また、実施形態では１ペア２つの水分センサ２を配置する例を示したが、例えば図８に示すように、第１の水分センサとして機能する水分センサ２を室内に複数配置することができる。この場合、水分センサ２Ｂは、水分センサ２Ａに対する非判定領域（Ｒ２１）と水分センサ２Ｅに対する非判定領域（Ｒ２２）とを除外した判定領域（Ｒｓ２）に配置される。この場合も、実施形態と同様に、第１位置（Ｐ１）と第２位置（Ｐ２）との距離Ｌ２１、Ｌ２２）に基づいて、第１の非判定領域（Ｒ２１）と第２の非判定領域（Ｒ２２）とを設定すればよい。
【００９７】
そして、水分センサ２Ａと水分センサ２Ｂとのペアで実施形態のように漏水を検知し、水分センサ２Ｅと水分センサ２Ｂとのペアで実施形態のように漏水を検知すれば、第１位置（Ｐ１）側では水分センサ２Ｅによって迅速に漏水の検知が可能となり、第２位置（Ｐ２）側では水分センサ２Ａによって迅速に漏水の検知が可能となる。また、３つの水分センサ２の検知結果に基づいてスプリンクラ１０の動作を判定することが可能となり、判定の精度を向上させることができる。
【００９８】
また、複数の水分センサ２を有する漏水検知システム１は、配管９からの漏水を検知するだけでなく、他の用途でも利用することができる。例えば、水分センサ２Ｂを窓際に配置し、水分センサ２Ｂで水分が検知されたものの検知時間差（Ｔｓ）以内に水分センサ２Ａで水分が検知されなかった場合や、水分センサＢで水分が検知されてから検知時間差（Ｔｓ）が経過した以降に水分センサＡで水分が検知された場合等に、窓の開け放しや窓の破損等によって窓から水が侵入したと判定することができる。
【符号の説明】
【００９９】
図面中、１は漏水検知システム、２、２Ａ〜２Ｅは水分センサ、３はタイマ、４は判定部、５は出力部、７は流量センサ、８はバルブ、９は配管、１０はスプリンクラ、Ｒ１、Ｒ１１、Ｒ２１は第１の非判定領域、Ｒ２、Ｒ１２、Ｒ２２は第２の非判定領域、Ｒｓ、Ｒｓ１、Ｒｓ２は判定領域を示す。
【図１】
2019164053.tif 000003
【図２】
2019164053.tif 000004
【図３】
2019164053.tif 000005
【図４】
2019164053.tif 000006
【図５】
2019164053.tif 000007
【図６】
2019164053.tif 000008
【図７】
2019164053.tif 000009
【図８】
2019164053.tif 000010